(57)【要約】      （修正有）【課題】バルコニー等の床上に配置固定された根太への板材の配置固定を上方より下方に向けて一方向からの動きで容易に施工が出来るデッキ材の取付構造及び取付方法を提供する。【解決手段】デッキ材１の下面に嵌入材５を設ける。この嵌入材５を挿入する挿入空間１２を持つ取付溝８を根太１０の一部として構成する。前記嵌入材５に嵌入する一対の嵌入片１９ａ，１９ｂと、前記取付溝８に回転して係止する一対の係止片２０ａ，２０ｂと、回転力を与えるスペーサとを備えたくさび１７を設けている。【選択図】図４
2018104949.tif 000002
【特許請求の範囲】
【請求項１】
デッキ材の下面で短手方向に設けられた嵌入材と、
この嵌入材が挿入する挿入空間を長手方向に形成した根太の一部を構成する取付溝と、
前記嵌入材にそのこば側に嵌入する一対の嵌入片と、前記取付溝に回転して係止めする一対の係止片をくさび本体に備え、このくさび本体に対しスペーサを立設したくさびとより構成されたことを特徴とする板材の取付構造。
【請求項２】
前記嵌入材は、そのこば側が開口する嵌入口を備えたことを特徴とする請求項１記載の板材の取付構造。
【請求項３】
前記取付溝は、その中心で長手方向に挿入空間を設けると共に、その上面側に短手方向で前記嵌入材の短手方向寸法と同寸法の嵌入開口を長手方向に沿って形成したことを特徴とする請求項１記載の板材の取付構造。
【請求項４】
前記取付溝は、その短手方向寸法が前記上面側に形成の挿入開口寸法より長く形成され、もって、前記挿入空間の短手方向両側に一対の係止溝を備えたことを特徴とする請求項１，３記載の板材の取付構造。
【請求項５】
前記くさびの前記嵌入片は、前記嵌入材の前記嵌入口内に嵌入可能とする寸法に形成され、その上下方向にねじ穴が形成されたことを特徴とする請求項１，２記載の板材の取付構造。
【請求項６】
前記くさびの前記係止片は、前記取付溝内の挿入空間内に配された後に回転して前記挿入空間の前記係止溝内に係止されたことを特徴とする請求項１，３，４，５いずれかに記載の板材の取付構造。
【請求項７】
デッキ材の下面で短手方向に設けられた嵌入材と、
この嵌入材が嵌合する挿入溝を長手方向に形成した根太の一部を構成する取付溝と、
前記嵌入材のこば側に嵌入する一対の嵌入片と、前記取付溝に係止する一対の係止片とをくさび本体に備えると共に、このくさび本体に対しスペーサを立設したくさびとを備え、
前記デッキ材の下面に設けられた嵌入材を前記取付溝内に挿入し、その後に前記くさびを前記取付溝の挿入空間内に、その両係止片を結ぶ方向が前記取付溝内に沿うように配し、それからくさびを９０度回転させ、もってそれぞれの係止片を前記それぞれの係止溝内に係止させた後に前記くさびを取付溝内で移動させ、その嵌入片を前記嵌入材の前記嵌入口内に嵌入させたことを特徴とする板材の取付方法。
【発明の詳細な説明】
【技術分野】
【０００１】
この発明は、例えばバルコニー等の床に固定された根太上に、床材、デッキ材等の板材を取付ける板材の取付構造及び板材の取付方法に関する。
【背景技術】
【０００２】
従来、屋外デッキの取付構造は、いろいろ出願されていて、例えば特許文献１（特開２００８−２８５９５３号公報）、特許文献２（特開２０１０−１４４３７２号公報）、特許文献３（特開２０１６−１５３５４８号公報）がある。
【０００３】
特許文献１は、根太材に対して、直角方向に木製デッキを連続して敷設して構成される木製床に関するもの。特許文献２は屋外デッキ取付構造に関するもの。特許文献３は、特許出願人会社の出願公開のもので、床材、デッキ等の板材を根太に取付ける板材の取付構造に関するものである。
【先行技術文献】
【特許文献】
【０００４】
【特許文献１】特開２００８−２８５９５３号公報
【特許文献２】特開２０１０−１４４３７２号公報
【特許文献３】特開２０１６−１５３５４８号公報
【０００５】
特許文献１に開示された発明では、木製デッキの伸縮によって、デッキに浮力が生じたり、連結部分が外れたりするという不具合があり、またデッキ材の間際を変更する場合には、連結部材の幅をすべて変更する必要があるために、コストがかかるという不都合があった。
【０００６】
また、特許文献２に開示される発明では、デッキ材長手方向の両側面の形状が複雑であること、デッキ材を設置する場合には、１つのデッキ材の側部に固定具を噛合させた後に、固定具を根太材に固定する作業が必要であり、さらにこの固定具に次のデッキ材を装着させる必要であることから、デッキの配置作業に時間がかかるという不都合が生じていた。
【０００７】
特許文献３は、当特許出願人のもので、この発明は、デッキ材をスライド溝部に固定するのに、まずデッキ材の下面に装着のハーフスライド材をデッキと共に垂直方向に動かしてスライド溝部内に挿入し、その後にデッキ材を水平方向に移動させてスライド溝部と係止させる。そして係止させた後に、スライド溝部内にくさびを長手方向に挿入し、くさびの背部より押圧して、ハーフスライド材を固定し、戻るのを防いでデッキ材を根太に固定していた。
【０００８】
即ち、比較的重く大きいデッキ材をスライド溝部上を移動させ、もって所定の位置でハーフスライド材を垂直に動かし、しかる後にスライド溝部短手方向に動かしてスライド溝部に係止させ、その後に更にくさびをハーフスライド材の背後からスライド溝部の長手方向に沿って動かしているが、組立の方向性を異にするため、作業効率にバラつきがあった。
【発明の概要】
【発明が解決しようとする課題】
【０００９】
そこで、デッキ材を根太の一部をなす取付溝に組付けるにあたり、容易な構造とすべく、この発明は、バルコニー等の床上に配置固定された根太への板材の配置固定を上方より下方に向けて一方向からの動きで施工が出来る板材の取付構造及びその取付方法を提供することにある。
【課題を解決するための手段】
【００１０】
この発明に係る板材の取付構造は、デッキ材の下面で短手方向に設けられた嵌入材とこの嵌入材が挿入する挿入空間を長手方向に形成した根太の一部を構成する取付溝と、前記嵌入材にそのこば側に嵌入する一対の嵌入片と、前記取付溝に回転して係止めする一対の係止片をくさび本体に備え、このくさび本体に対しスペーサを立設したくさびとより構成されたことを特徴としている（請求項１）。
【００１１】
このため、デッキ材を根太の一部を構成する取付溝に設置するにあたり、デッキ材の下面に設けられた嵌入材を前記取付溝の挿入空間に挿入し、そしてしかる後に、くさびをその両係止片を結ぶ方向が前記取付溝内に沿うよう該取付溝内に配する。それから、このくさびを回転させ、両係止片を係止溝内に係止する。さらに、くさびを取付溝内に移動させ、前記嵌入片を前記嵌入材の嵌入口内に嵌入させて、組付けられる。即ち、請求項７に示すような板材の取付方法を提供出来る。
【００１２】
前記嵌入材は、そのこば側が開口する嵌入口を備え（請求項２）、嵌入口をその下面が長手方向に切欠された溝を持たせることも出来る。
【００１３】
前記取付溝は、その中心で長手方向に挿入空間を設けると共に、その上面側に短手方向で前記嵌入材の短手方向寸法と同寸法の嵌入開口を長手方向に沿って形成したことを特徴としている（請求項３）。このため、取付溝は前記デッキ材の下面に設けられた前記嵌入材を挿入可能の構造としている。
【００１４】
さらに前記取付溝はその短手方向寸法が前記上面側に形成の挿入開口寸法より長く形成され、もって、前記挿入空間の短手方向両側に一対の係止溝を備えたことを特徴としている（請求項４）。このため、係止溝が前記くさびの持つ係止片の係止を司っている。
【００１５】
また、前記くさびの前記嵌入片は、前記嵌入材の前記嵌入口内に嵌入可能とする寸法に形成され、その上下方向にねじ穴が形成されたことを特徴としている（請求項５）。このため、前記デッキ材を固定するためにくさびの嵌入片が前記嵌入材の嵌入口と対応する形状となってしっかりと固定される。
【００１６】
前記くさびの前記係止片は、前記取付溝内の挿入空間内に配された後に、回転して前記挿入空間の前記係止溝内に係止されることを特徴としている（請求項６）。これにより、係止片が前記取付溝内の係止溝に係止することで、デッキ材を根太に確実な固定が出来る。
【００１７】
前記板材の取付構造は、請求項７に示す板材の取付方法を用いることで、充分な取付手段の容易な機能を得ることを可能としている。即ち、板材の取付方法は、デッキ材の下面で短手方向に設けられた嵌入材と、この嵌入材が嵌合する挿入溝を長手方向に形成した根太の一部を構成する取付溝と、前記嵌入材のこば側に嵌入する一対の嵌入片と、前記取付溝に係止する一対の係止片とをくさび本体に備えると共に、このくさび本体に対しスペーサを立設したくさびとを備え、前記デッキ材の下面に設けられた嵌入材を前記取付溝内に挿入し、その後に前記くさびを前記取付溝の挿入空間内に、その両係止片を結ぶ方向が前記取付溝内に沿うように配し、それからくさびを９０度回転させ、もってそれぞれの係止片を前記それぞれの係止溝内に係止させた後に前記くさびを取付溝内で移動させ、その嵌入片を前記嵌入材の前記嵌入口内に嵌入させたことを特徴としている。
【発明の効果】
【００１８】
この発明によれば、根太にデッキ材を固定を現場において、組立性の向上が図られる。即ち、作業工程が上方から下方へ向けて行われ、単純化され、組立作業、時間の短縮が図られる（請求項１）。
【００１９】
くさびの一対の係止片が根太の一部を成す取付溝の係止溝に係止し、また一対の嵌入片がデッキ材に固着の嵌入材の嵌入口に嵌入されることで、くさびの着脱だけでデッキ材の取付取外が容易となった（請求項１）。
【００２０】
くさびのスペーサは、前記したデッキ材の取付溝の着脱に寄与すると共に、スペーサがデッキ材間に介在され、一定の隙間を得ることが出来る（請求項１）。
【００２１】
デッキ材などの板材の取付方法は、一対の嵌入片と一対の係止片とスペーサを備えたくさびの動きにより、デッキ材が根太の一部となる取付溝に着脱自在となり、組立が容易な取付方法を提供することが出来る（請求項７）。
【図面の簡単な説明】
【００２２】
【図１】この発明の板材の取付構造を示し、デッキ材、嵌入材、取付溝との関係を示す斜視図である。
【図２】同上のくさびの斜視図である。
【図３】くさびの平面図である。
【図４】デッキ材の嵌入材を取付溝の挿入空間に挿入した後に、この挿入空間にくさびを挿入した状態を示す斜視図である。
【図５】くさびを図４に示す状態から９０度回転した状態の平面図である。
【図６】くさびを図５に示す状態から嵌入材（デッキ材）側へ移動させ、嵌入片を嵌入口に挿入させた状態の斜視図である。
【図７】前記嵌入材の外側端に嵌入されるエンドプレートである。
【発明を実施するための形態】
【実施例１】
【００２３】
図１において、この発明を構成する部材のデッキ材１，嵌入材５，取付溝８との関係を示す図であり、下記する図２，図３に示すくさび１７とで、発明の構成要素となっている。
【００２４】
デッキ材１は、木製でも良いが、実施例では樹脂により製造されている。このデッキ材１は下記する根太１０上に取付けるために、次のような構成を持っている。デッキ材１は、縦方向に長い長方体で、その下面２の短手方向に嵌入材２が取付けられている。
【００２５】
嵌入材５は断面がコ字状に折曲され、天板５ｃがデッキ材１の下面２に接着し、両側片５ａ，５ａを持ち、その両側片５ａ，５ａの先端が内側に折れ曲がった折片５ｂ，５ｂと成り、内側に中空部６を備えている。この中空部６の端は開口し、嵌入口６ａとなっている。
【００２６】
取付溝８は根太１０の一部を構成しており、上面が開口の挿入開口１１を持ち、この取付溝８は断面がコ字状で、下面８ｃから両端が折曲されて立ち上がった両側片８ａ，８ａを持ち、その両側片８ａ，８ａの先端が内側に折れ曲がった折片８ｂ，８ｂを有し、内側に挿入空間１２を備えている。
【００２７】
前記挿入空間１２は、その短手方向Ｃが挿入開口１１の短手方向寸法Ｄに両折片８ｂ，８ｂの寸法Ｆの２倍を加えた寸法となっている。したがって、取付溝８の両側に、係止溝１３ａ，１３ａが設けられる。なお、取付溝８は、その挿入開口１１の短手寸法Ｄが前記嵌入材５の短手寸法Ａと同等、またその側片８ａ，８ａの高さＦは、前記嵌入材５の高さＢと同等となっている。
【００２８】
図２，図３において、この発明を構成する部分のくさび１７が示され、このくさび１７は全体が円形状を成し、くさび本体１８の両側に伸びる一対の嵌入片１９ａ，１９ｂが対向して設けられ、また、この両嵌入片１９ａ，１９ｂに対し、９０度を回転した位置に一対の係止片２０ａ，２０ｂが対向して設けられている。それから、くさび本体１８にスペーサ２２が立設されている。
【００２９】
くさび１７の両嵌入片１９ａ，１９ｂは、前記嵌入材５の嵌入口６ａ内に嵌入出来る形状となっている。即ち、前記嵌入材５の折片５ｂ，５ｂが干渉しないように切欠２３，２３が形成され、それから、側面に沿って突起２４，２４が形成されている。また、上方から下方に向けてねじ穴２６，２６が形成され、該ねじ穴２６，２６にねじ（開示せず）を通して取付溝８に固定することが出来る。なお、両嵌入片１９ａ，１９ｂより成る寸法Ｇは、前記挿入開口１１と同等に形成されている。
【００３０】
くさび１７の両係止片２０ａ，２０ｂは、上面から見て外側が円弧に内側が直線の組合せの形状で、両係止片２０ａ，２０ｂ間の寸法Ｈは、前記取付溝８の挿入空間１２の寸法Ｃと同等となっている。なお、係止片２０ａ，２０ｂと嵌入片１９ａ，１９ｂとの間には隙間２７を形成されている。
【００３１】
スペーサ２２は、前記くさび本体１８上に立設されるが、両係止片２０ａ，２０ｂを結ぶ線と平行にあって、くさび１７を回転させることと、組立時にデッキ材１間の適切な隙間を得るために用いられる。
【００３２】
上述の構成において、デッキ材１を根太１０に装着するには、まず、デッキ材１を根太１０の取付溝８上に配置し、そして、嵌入材５を取付溝８の挿入開口１１内に上方から下方へ図１の矢印のように挿入する。嵌入材５の短手寸法Ａは、挿入開口１１と同等のための図４に示すごとく、スムーズに入れられる。
【００３３】
それから、くさび１７を、その係止片２０ａと係止片２０ｂとを結ぶ線が前記取付溝８の挿入開口１１に沿うように配し、上方より下方へ移動させ、挿入空間１２内に図４に示すようにセットする。くさび１７の嵌入片１９ａ，１９ｂ間の寸法Ｇは、前記挿入開口１１の寸法Ｄと同等のためスムーズに上方から挿入される。
【００３４】
そして、くさび１７を回転させるため、スペーサ２２を持って９０度回転させると図５に示すようになる。即ち、くさび１７の係止片２０ａ，２０ｂ間の寸法Ｈは、前記取付溝８の挿入空間１２の寸法Ｃと同等となっていることから、９０度回転させると、図５のようになる。即ち、係止片２０ａ，２０ｂが前記係止溝１３ａ，１３ａ内に入り、係止され、上方向へ抜けなくなるが、挿入空間１２の長手方向には動くことが出来る。
【００３５】
その後、くさび１７をデッキ材１方向へ移動させると、一方の嵌入片１９ａが、前記嵌入材５１の嵌入口６ａに至って、押し込むとスペーサ２２が図６に示すようにデッキ材１に当り停止される。そして、ねじ穴２６に図示しないねじを挿入し、ねじ込んでくさび１７を取付溝８に固定する。これにより、デッキ材１は取付溝８に固定される。
【００３６】
所定のデッキ材１が固定されると、更に次のデッキ材１が取付溝８上に配置され、デッキ材１の下面の嵌入材５の嵌入口に、先に既段のデッキ材１を固定したくさび１７の嵌入片１９ｂを嵌入する。それから次のデッキ材１の反対側の嵌入材５の嵌入口６ａに対し、新たなくさび１７による固定作業が行われる。この固定作業は、前述した通りで、デッキが完成する。なお、始めのデッキ材１の固定時、図７に示すようなエンドプレート３０が、その嵌入片３１を嵌入材５の嵌入口６ａに嵌入されることで固定される。３２はエンドプレート３０の固定用ねじ穴である。
【符号の説明】
【００３７】
１  デッキ材
５  嵌入材
６  中空部
６ａ  嵌入口
８  取付溝
１０  根太
１１  挿入開口
１２  挿入空間
１３ａ，１３ａ  係止溝
１７  くさび
１９ａ，１９ｂ  嵌入片
２０ａ，２０ｂ  係止片
２２  スペーサ
２３  切欠
２６  ねじ穴
３０  エンドプレート
３１  嵌入片
【図１】
2018104949.tif 000003
【図２】
2018104949.tif 000004
【図３】
2018104949.tif 000005
【図４】
2018104949.tif 000006
【図５】
2018104949.tif 000007
【図６】
2018104949.tif 000008
【図７】
2018104949.tif 000009